(57)【要約】【課題】  移動通信システムにおいてセルの無線品質が急激に変化する移動機に対して、より適切に待ち受け状態でのセルの切り替え、通信状態でのセルの追加または入れ替えを可能とする。【解決手段】  セル切り替え判定手段１０５は、待ち受け時に、セル切り替え回数計測手段１０７から取得したセル切り替え回数と、調整パラメータテーブル１０９から取得した閾値とに基づき、セル切り替え判定を行う。通信セル追加・入れ替え判定手段１０６は、通信時に、通信セル追加・入れ替え回数計測手段１０８から取得した通信セル追加・入れ替え回数と、調整パラメータテーブル１１０より取得した閾値とに基づき、通信セル追加・入れ替え判定を行う。このとき、セル切り替え回数および通信セル追加・入れ替え回数に応じて判定時の閾値を調整し、セル切り替え、追加、入れ替えをより頻繁に行う移動機に対しては、よりスムーズにセル切り替え等が行われるようにする。【選択図】  図２
2006013611.tif 000002
【特許請求の範囲】
【請求項１】
移動機と無線基地局との間で通信を行う移動通信システムにおける移動無線通信方法であって、
前記移動機が滞在中のセルの第１の無線基地局との無線品質が第１の値を下回り、前記滞在中のセルの周辺に位置する第２の無線基地局との無線品質が、前記第１の無線基地局との無線品質を、第２の値以上、所定の期間以上に渡って上回る場合に、前記第１および前記第２の無線基地局の交換局に対して、滞在するセルの切り替えを要求する移動通信システムにおいて、
前記移動局における所定の期間内の前記セルの切り替え回数を計測する切り替え回数計測手順と、
前記切り替え回数に応じて、前記第１の値、前記第２の値のいずれか、もしくは両方を調整する第１の調整手順とを有する移動無線通信方法。
【請求項２】
請求項１に記載の移動無線通信方法であって、
前記切り替え回数計測手順において、前記移動局における以前滞在したセルの履歴を所定時間記録しておき、滞在先のセルが前記セルの履歴に記載されている場合、前記セル切り替え回数から除外して、所定の期間内の前記セル切り替え回数を計測する移動無線通信方法。
【請求項３】
請求項１または２に記載の移動無線通信方法であって、
前記移動局のセル切り替え頻度に段階を設定し、それぞれのセル切り替え頻度の段階ごとに独立に、より高頻度の段階に遷移するためのセル切り替え回数の閾値と、より低頻度の段階に遷移するためのセル切り替え回数の閾値とをそれぞれ設定する第１の閾値設定手順と、
前記切り替え回数計測手順において得られた前記移動局におけるセル切り替え回数から、前記移動局のセル切り替え頻度の段階を判定する切り替え頻度判定手順とを有し、
前記第１の調整手順において、前記切り替え回数計測手順において得られたセル切り替え回数ではなく、前記切り替え頻度判定手順において得られたセル切り替え頻度の段階に応じて、前記第１の値、前記第２の値のいずれか、もしくは両方を調整する移動無線通信方法。
【請求項４】
移動機と無線基地局との間で通信を行う移動通信システムにおける移動無線通信方法であって、
前記移動機が通信を行う一つまたは複数の第３の無線基地局または基地局群の周辺に位置する第４の無線基地局との無線品質が、前記第３の無線基地局または基地局群との無線品質から計算される品質指標を第３の値だけ下回る値を、所定の期間以上に渡って上回る場合に、前記第３の無線基地局または基地局群および前記第４の無線基地局の交換局に対して、通信を行うセルの追加を要求し、
前記第４の無線基地局との無線品質が、前記第３の無線基地局または基地局群のいずれかの無線基地局との無線品質を第４の値だけ上回る値を、所定の期間以上に渡って上回る場合に、前記第３の無線基地局または基地局群および前記第４の無線基地局の交換局に対して、通信を行うセルの入れ替えを要求する移動通信システムにおいて、
前記移動局における所定の期間内の前記セルの追加および入れ替え回数を計測する追加および入れ替え回数計測手順と、
前記セルの追加および入れ替え回数に応じて、前記第３の値、前記第４の値のいずれか、もしくは両方を調整する第２の調整手順とを有する移動無線通信方法。
【請求項５】
請求項４に記載の移動無線通信方法であって、
前記追加および入れ替え回数計測手順において、前記移動局における以前セルの追加または入れ替えを行ったセルの履歴を所定時間記録しておき、セル追加およびセル入れ替えにより追加されたセルが、前記セルの履歴に記載されている場合、前記セル追加およびセル入れ替え回数から除外して、所定の期間内の前記セル追加およびセル入れ替え回数を計測する移動無線通信方法。
【請求項６】
請求項４または５に記載の移動無線通信方法であって、
前記移動局のセル追加およびセル入れ替え頻度に段階を設定し、それぞれのセル追加およびセル入れ替え頻度の段階ごとに独立に、より高頻度の段階に遷移するためのセル追加およびセル入れ替え回数の閾値と、より低頻度の段階に遷移するためのセル追加およびセル入れ替え回数の閾値とをそれぞれ設定する第２の閾値設定手順と、
前記追加および入れ替え回数計測手順において得られた前記移動局におけるセル追加およびセル入れ替え回数から、前記移動局のセル追加およびセル入れ替え頻度の段階を判定する追加および入れ替え頻度判定手順とを有し、
前記第２の調整手順において、前記追加および入れ替え回数計測手順において得られたセル追加およびセル入れ替え回数ではなく、前記追加および入れ替え頻度判定手順において得られたセル追加およびセル入れ替え頻度の段階に応じて、前記第３の値、前記第４の値のいずれか、もしくは両方を調整する移動無線通信方法。
【請求項７】
移動機と無線基地局との間で通信を行う移動通信システムにおける移動無線通信方法であって、
前記移動機が滞在中のセルの第５の無線基地局との無線品質が第５の値を下回り、前記滞在中のセルの周辺に位置する第６の無線基地局との無線品質が、前記第５の無線基地局との無線品質を、第６の値以上、所定の期間以上に渡って上回る場合に、前記第５および前記第６の無線基地局の交換局に対して、滞在するセルの切り替えを要求する移動通信システムにおいて、
前記移動局における所定の期間内の前記セルの切り替え要求回数を計測する切り替え要求回数計測手順と、
前記切り替え要求回数に応じて、前記第５の値、前記第６の値のいずれか、もしくは両方を調整する第３の調整手順とを有する移動無線通信方法。
【請求項８】
請求項７に記載の移動無線通信方法であって、
前記切り替え要求回数計測手順において、前記移動局における以前セル切り替え要求を行ったセルの履歴を所定時間記録しておき、滞在先のセルが前記セルの履歴に記載されている場合、前記セル切り替え要求回数から除外して、所定の期間内の前記セル切り替え要求回数を計測する移動無線通信方法。
【請求項９】
請求項７または８に記載の移動無線通信方法であって、
前記移動局のセル切り替え要求頻度に段階を設定し、それぞれのセル切り替え要求頻度の段階ごとに独立に、より高頻度の段階に遷移するためのセル切り替え要求回数の閾値と、より低頻度の段階に遷移するためのセル切り替え要求回数の閾値とをそれぞれ設定する第３の閾値設定手順と、
前記切り替え要求回数計測手順において得られた前記移動局におけるセル切り替え要求回数から、前記移動局のセル切り替え要求頻度の段階を判定する切り替え要求頻度判定手順とを有し、
前記第３の調整手順において、前記切り替え要求回数計測手順において得られたセル切り替え要求回数ではなく、前記切り替え要求頻度判定手順において得られたセル切り替え要求頻度の段階に応じて、前記第５の値、前記第６の値のいずれか、もしくは両方を調整する移動無線通信方法。
【請求項１０】
移動機と無線基地局との間で通信を行う移動通信システムにおける移動無線通信方法であって、
前記移動機が通信を行う一つまたは複数の第７の無線基地局または基地局群の周辺に位置する第８の無線基地局との無線品質が、前記第７の無線基地局または基地局群との無線品質から計算される品質指標を第７の値だけ下回る値を、所定の期間以上に渡って上回る場合、前記第７の無線基地局または基地局群および前記第８の無線基地局の交換局に対して、通信を行うセルの追加を要求し、
前記第８の無線基地局との無線品質が、前記第７の無線基地局または基地局群のいずれかの無線基地局との無線品質を第８の値だけ上回る値を、所定の期間以上に渡って上回る場合に、前記第７の無線基地局または基地局群および前記第８の無線基地局の交換局に対して、通信を行うセルの入れ替えを要求する移動通信システムにおいて、
前記移動局における所定の期間内の前記セルの追加および入れ替え要求回数を計測する追加および入れ替え要求回数計測手順と、
前記セルの追加および入れ替え要求回数に応じて、前記第７の値、前記第８の値のいずれか、もしくは両方を調整する第４の調整手順とを有する移動無線通信方法。
【請求項１１】
請求項１０に記載の移動無線通信方法であって、
前記追加および入れ替え要求回数計測手順において、前記移動局における以前セルの追加または入れ替え要求を行ったセルの履歴を所定時間記録しておき、セル追加およびセル入れ替えにより追加を要求するセルが、前記セルの履歴に記載されている場合、前記セル追加およびセル入れ替え要求回数から除外して、所定の期間内の前記セル追加およびセル入れ替え要求回数を計測する移動無線通信方法。
【請求項１２】
請求項１０または１１に記載の移動無線通信方法であって、
前記移動局のセル追加およびセル入れ替え要求頻度に段階を設定し、それぞれのセル追加およびセル入れ替え要求頻度の段階ごとに独立に、より高頻度の段階に遷移するためのセル追加およびセル入れ替え要求回数の閾値と、より低頻度の段階に遷移するためのセル追加およびセル入れ替え要求回数の閾値とをそれぞれ設定する第４の閾値設定手順と、
前記追加および入れ替え要求回数計測手順において得られた前記移動局におけるセル追加およびセル入れ替え要求回数から、前記移動局のセル追加およびセル入れ替え要求頻度の段階を判定する追加および入れ替え要求頻度判定手順とを有し、
前記第４の調整手順において、前記追加および入れ替え要求回数計測手順において得られたセル追加およびセル入れ替え要求回数ではなく、前記追加および入れ替え要求頻度判定手順において得られたセル追加およびセル入れ替え要求頻度の段階に応じて、前記第７の値、前記第８の値のいずれか、もしくは両方を調整する移動無線通信方法。
【請求項１３】
移動機と無線基地局との間で通信を行う移動通信システムであって、
前記移動機が滞在中のセルの第１の無線基地局との無線品質が第１の値を下回り、前記滞在中のセルの周辺に位置する第２の無線基地局との無線品質が、前記第１の無線基地局との無線品質を、第２の値以上、所定の期間以上に渡って上回る場合に、前記第１および前記第２の無線基地局の交換局に対して、滞在するセルの切り替えを要求するものにおいて、
前記移動局は、所定の期間内の前記セルの切り替え回数を計測する切り替え回数計測手段と、前記切り替え回数に応じて、前記第１の値、前記第２の値のいずれか、もしくは両方を調整する第１の調整手段とを備える移動通信システム。
【請求項１４】
移動機と無線基地局との間で通信を行う移動通信システムであって、
前記移動機が通信を行う一つまたは複数の第３の無線基地局または基地局群の周辺に位置する第４の無線基地局との無線品質が、前記第３の無線基地局または基地局群との無線品質から計算される品質指標を第３の値だけ下回る値を、所定の期間以上に渡って上回る場合に、前記第３の無線基地局または基地局群および前記第４の無線基地局の交換局に対して、通信を行うセルの追加を要求し、
前記第４の無線基地局との無線品質が、前記第３の無線基地局または基地局群のいずれかの無線基地局との無線品質を第４の値だけ上回る値を、所定の期間以上に渡って上回る場合に、前記第３の無線基地局または基地局群および前記第４の無線基地局の交換局に対して、通信を行うセルの入れ替えを要求するものにおいて、
前記移動局は、所定の期間内の前記セルの追加および入れ替え回数を計測する追加および入れ替え回数計測手段と、前記セルの追加および入れ替え回数に応じて、前記第３の値、前記第４の値のいずれか、もしくは両方を調整する第２の調整手段とを備える移動通信システム。
【請求項１５】
移動機と無線基地局との間で通信を行う移動通信システムであって、
前記移動機が滞在中のセルの第５の無線基地局との無線品質が第５の値を下回り、前記滞在中のセルの周辺に位置する第６の無線基地局との無線品質が、前記第５の無線基地局との無線品質を、第６の値以上、所定の期間以上に渡って上回る場合に、前記第５および前記第６の無線基地局の交換局に対して、滞在するセルの切り替えを要求するものにおいて、
前記移動局は、所定の期間内の前記セルの切り替え要求回数を計測する切り替え要求回数計測手段と、前記切り替え要求回数に応じて、前記第５の値、前記第６の値のいずれか、もしくは両方を調整する第３の調整手段とを備える移動通信システム。
【請求項１６】
移動機と無線基地局との間で通信を行う移動通信システムであって、
前記移動機が通信を行う一つまたは複数の第７の無線基地局または基地局群の周辺に位置する第８の無線基地局との無線品質が、前記第７の無線基地局または基地局群との無線品質から計算される品質指標を第７の値だけ下回る値を、所定の期間以上に渡って上回る場合、前記第７の無線基地局または基地局群および前記第８の無線基地局の交換局に対して、通信を行うセルの追加を要求し、
前記第８の無線基地局との無線品質が、前記第７の無線基地局または基地局群のいずれかの無線基地局との無線品質を第８の値だけ上回る値を、所定の期間以上に渡って上回る場合に、前記第７の無線基地局または基地局群および前記第８の無線基地局の交換局に対して、通信を行うセルの入れ替えを要求するものにおいて、
前記移動局は、所定の期間内の前記セルの追加および入れ替え要求回数を計測する追加および入れ替え要求回数計測手段と、前記セルの追加および入れ替え要求回数に応じて、前記第７の値、前記第８の値のいずれか、もしくは両方を調整する第４の調整手段とを備える移動通信システム。
【請求項１７】
移動機と無線基地局との間で通信を行う移動通信システムにおける移動機であって、
前記移動機が滞在中のセルの第１の無線基地局との無線品質が第１の値を下回り、前記滞在中のセルの周辺に位置する第２の無線基地局との無線品質が、前記第１の無線基地局との無線品質を、第２の値以上、所定の期間以上に渡って上回る場合に、前記第１および前記第２の無線基地局の交換局に対して、滞在するセルの切り替えを要求する移動通信システムに用いられ、
所定の期間内の前記セルの切り替え回数を計測する切り替え回数計測手段と、
前記切り替え回数に応じて、前記第１の値、前記第２の値のいずれか、もしくは両方を調整する第１の調整手段とを備える移動機。
【請求項１８】
移動機と無線基地局との間で通信を行う移動通信システムにおける移動機であって、
前記移動機が通信を行う一つまたは複数の第３の無線基地局または基地局群の周辺に位置する第４の無線基地局との無線品質が、前記第３の無線基地局または基地局群との無線品質から計算される品質指標を第３の値だけ下回る値を、所定の期間以上に渡って上回る場合に、前記第３の無線基地局または基地局群および前記第４の無線基地局の交換局に対して、通信を行うセルの追加を要求し、
前記第４の無線基地局との無線品質が、前記第３の無線基地局または基地局群のいずれかの無線基地局との無線品質を第４の値だけ上回る値を、所定の期間以上に渡って上回る場合に、前記第３の無線基地局または基地局群および前記第４の無線基地局の交換局に対して、通信を行うセルの入れ替えを要求する移動通信システムに用いられ、
所定の期間内の前記セルの追加および入れ替え回数を計測する追加および入れ替え回数計測手段と、
前記セルの追加および入れ替え回数に応じて、前記第３の値、前記第４の値のいずれか、もしくは両方を調整する第２の調整手段とを備える移動機。
【請求項１９】
移動機と無線基地局との間で通信を行う移動通信システムにおける移動機であって、
前記移動機が滞在中のセルの第５の無線基地局との無線品質が第５の値を下回り、前記滞在中のセルの周辺に位置する第６の無線基地局との無線品質が、前記第５の無線基地局との無線品質を、第６の値以上、所定の期間以上に渡って上回る場合に、前記第５および前記第６の無線基地局の交換局に対して、滞在するセルの切り替えを要求する移動通信システムに用いられ、
所定の期間内の前記セルの切り替え要求回数を計測する切り替え要求回数計測手段と、
前記切り替え要求回数に応じて、前記第５の値、前記第６の値のいずれか、もしくは両方を調整する第３の調整手段とを備える移動機。
【請求項２０】
移動機と無線基地局との間で通信を行う移動通信システムにおける移動機であって、
前記移動機が通信を行う一つまたは複数の第７の無線基地局または基地局群の周辺に位置する第８の無線基地局との無線品質が、前記第７の無線基地局または基地局群との無線品質から計算される品質指標を第７の値だけ下回る値を、所定の期間以上に渡って上回る場合、前記第７の無線基地局または基地局群および前記第８の無線基地局の交換局に対して、通信を行うセルの追加を要求し、
前記第８の無線基地局との無線品質が、前記第７の無線基地局または基地局群のいずれかの無線基地局との無線品質を第８の値だけ上回る値を、所定の期間以上に渡って上回る場合に、前記第７の無線基地局または基地局群および前記第８の無線基地局の交換局に対して、通信を行うセルの入れ替えを要求する移動通信システムに用いられ、
所定の期間内の前記セルの追加および入れ替え要求回数を計測する追加および入れ替え要求回数計測手段と、
前記セルの追加および入れ替え要求回数に応じて、前記第７の値、前記第８の値のいずれか、もしくは両方を調整する第４の調整手段とを備える移動機。
【発明の詳細な説明】
【技術分野】
【０００１】
本発明は、移動機を用いて無線通信を行う移動通信システムに関し、特にセルラ移動通信システムにおいて行われるセル切り替え判定および通信を行うセルの判定に際しての移動無線通信方法および移動通信システム、並びに移動機に関する。
【背景技術】
【０００２】
従来の移動通信システムにおいて、移動機（ＵＥ: User Equipment）の位置登録を行う場合、移動機の滞在する範囲を示す位置登録エリア（ＬＡ: Location Area）をあらかじめ設定しておき、移動機がどの位置登録エリアにいるかという位置登録情報をホームメモリ（ＨＭ: Home Memory）局と呼ばれるデータベースシステムに記録している。移動機に対する着信制御を行う際は、ＨＭ局に記録されている位置登録情報を参照し、その位置登録エリアに対応する無線基地局（ＢＴＳ: Base Transceiver Station）から着呼信号が送出される。
【０００３】
移動機は、滞在するセルの無線品質を定期的に測定し、移動機が移動することにより滞在するセルの無線品質が劣化した場合、より無線品質の高いセルの検索を行う。前記セルの無線品質が滞在セルの無線品質を所定時間以上に渡って、所定の値以上回る場合、交換局に対してセル切り替えを行うように要求する。交換局はＨＭ局に対し位置登録情報を更新することにより、移動機が滞在するセルを変更した場合でも、そのセルの無線基地局より着呼信号を受信することが可能となる。このように移動機が通信を行っておらず、かつ着呼信号を受信している状態を待ち受け状態と呼ぶ（例えば特許文献１参照）。
【０００４】
また、従来の移動通信システム、例えば符号分割多元接続方式においては、ある移動機へのデータを複数の無線基地局から同時に送信し、移動機が複数の受信信号を分離し、それぞれを合成して復調することにより、より品質の高い無線通信を行うことが可能である。
【０００５】
符号分割多元接続方式において、同時にデータ受信を行う一つまたは複数の無線基地局が形成するセルの組（ＡＳＣ: Active Set Cells）に、新たにセルを追加する際、現在のＡＳＣの無線品質からある品質指標を算出し、前記セルがこの品質指標を所定の値以上、所定時間以上に渡って上回る場合は、前記セルをＡＳＣに加えることを交換局に要求する。またＡＳＣ内のセル数が、既に移動機が同時にデータ受信を行うことのできるセルの数に達している場合などは、新規にセルを追加する際、このセルの無線品質がＡＳＣ内のいずれかのセル（ＡＳＣ内の最低品質セル）の無線品質を所定の値以上、所定時間以上に渡って上回る場合、ＡＳＣ内の最低品質セルを前記セルと交換することを交換局に要求する（例えば特許文献２、３参照）。
【０００６】
【特許文献１】特開平９−２６１７２２号公報
【特許文献２】特開２００３−７００４７号公報
【特許文献３】特開２００１−８６５６０号公報
【発明の開示】
【発明が解決しようとする課題】
【０００７】
従来の移動通信システムでは、都市圏における高速道路を走行する車内の移動機や、都市圏における鉄道車内の移動機や、新幹線の車内の移動機などは、滞在するセルの無線品質が急激に変化するため、前記滞在セルの切り替えが間に合わず、その結果、移動機が滞在セルの無線基地局からの着信制御を受けられない状態に陥る状況がしばしば起きていた。
【０００８】
また、従来の符号分割多元接続方式の移動通信システムでは、高速に移動する移動機から通信を行い、無線品質が急激に変化する場合、ＡＳＣ内のセルの無線品質が急激に変化するため、ＡＳＣ内へのセルの追加やＡＳＣ内のセルの入れ替えが間に合わず、その結果、通話やデータ通信が切断されてしまう状況がしばしば起きていた。
【０００９】
本発明は、上記事情に鑑みてなされたもので、移動通信システムにおいて、より適切に待ち受け状態でのセルの切り替え、通信状態でのセルの追加または入れ替え等を行うことが可能であり、高速に移動する移動機等であっても必要な通信品質を確保することができる移動無線通信方法および移動通信システム、並びに移動機を提供することを目的とする。
【課題を解決するための手段】
【００１０】
本発明の移動無線通信方法は、移動機と無線基地局との間で通信を行う移動通信システムにおける移動無線通信方法であって、前記移動機が滞在中のセルの第１の無線基地局との無線品質が第１の値を下回り、前記滞在中のセルの周辺に位置する第２の無線基地局との無線品質が、前記第１の無線基地局との無線品質を、第２の値以上、所定の期間以上に渡って上回る場合に、前記第１および前記第２の無線基地局の交換局に対して、滞在するセルの切り替えを要求する移動通信システムにおいて、前記移動局における所定の期間内の前記セルの切り替え回数を計測する切り替え回数計測手順と、前記切り替え回数に応じて、前記第１の値、前記第２の値のいずれか、もしくは両方を調整する第１の調整手順とを有するものである。
これにより、セルの切り替え回数に応じて、例えば、切り替え回数が高い場合は移動機が高速で移動しているものとみなし、セル切り替え判定処理を行うかどうかの閾値（第１の値）をより判定が成立しやすくなるように調整し、またセル切り替え判定処理を行う際の閾値（第２の値）もより判定が成立しやすくなるよう調整する。これによって、高速に移動する移動機は、より早くセル切り替え判定処理を行う、もしくは、よりセル切り替え判定を成立しやすくすることが可能となる。したがって、より適切に待ち受け状態でのセルの切り替えを行うことが可能であり、高速に移動する移動機等であっても必要な通信品質を確保することができる。
【００１１】
また、本発明の一態様として、上記の移動無線通信方法であって、前記切り替え回数計測手順において、前記移動局における以前滞在したセルの履歴を所定時間記録しておき、滞在先のセルが前記セルの履歴に記載されている場合、前記セル切り替え回数から除外して、所定の期間内の前記セル切り替え回数を計測するものとする。
これにより、地理的に複数のセルの境界に移動機が位置する場合など、周辺セル間で頻繁にセル切り替えを行う場合に、移動機の無線品質が急激に変化していると誤判定され、移動機が高速で移動していると誤判定されてしまうことを防ぐことが可能となる。したがって、さらに適切に待ち受け状態でのセルの切り替えを行うことが可能となり、必要な通信品質を確保することができる。
【００１２】
また、本発明の一態様として、上記の移動無線通信方法であって、前記移動局のセル切り替え頻度に段階を設定し、それぞれのセル切り替え頻度の段階ごとに独立に、より高頻度の段階に遷移するためのセル切り替え回数の閾値と、より低頻度の段階に遷移するためのセル切り替え回数の閾値とをそれぞれ設定する第１の閾値設定手順と、前記切り替え回数計測手順において得られた前記移動局におけるセル切り替え回数から、前記移動局のセル切り替え頻度の段階を判定する切り替え頻度判定手順とを有し、前記第１の調整手順において、前記切り替え回数計測手順において得られたセル切り替え回数ではなく、前記切り替え頻度判定手順において得られたセル切り替え頻度の段階に応じて、前記第１の値、前記第２の値のいずれか、もしくは両方を調整するものとする。
これにより、例えば、待ち受け時のセル切り替え回数が多くなった場合に、セル切り替え頻度によってセル切り替え判定処理を行うかどうかの閾値をより判定が成立しやすくなるように調整し、またセル切り替え判定処理を行う際の閾値もより判定が成立しやすくなるよう調整することにより、さらにセル切り替え回数が多くなる、といった誤動作を防ぐことが可能となる。したがって、さらに適切に待ち受け状態でのセルの切り替えを行うことが可能となり、必要な通信品質を確保することができる。
【００１３】
本発明の移動無線通信方法は、移動機と無線基地局との間で通信を行う移動通信システムにおける移動無線通信方法であって、前記移動機が通信を行う一つまたは複数の第３の無線基地局または基地局群の周辺に位置する第４の無線基地局との無線品質が、前記第３の無線基地局または基地局群との無線品質から計算される品質指標を第３の値だけ下回る値を、所定の期間以上に渡って上回る場合に、前記第３の無線基地局または基地局群および前記第４の無線基地局の交換局に対して、通信を行うセルの追加を要求し、前記第４の無線基地局との無線品質が、前記第３の無線基地局または基地局群のいずれかの無線基地局との無線品質を第４の値だけ上回る値を、所定の期間以上に渡って上回る場合に、前記第３の無線基地局または基地局群および前記第４の無線基地局の交換局に対して、通信を行うセルの入れ替えを要求する移動通信システムにおいて、前記移動局における所定の期間内の前記セルの追加および入れ替え回数を計測する追加および入れ替え回数計測手順と、前記セルの追加および入れ替え回数に応じて、前記第３の値、前記第４の値のいずれか、もしくは両方を調整する第２の調整手順とを有するものである。
これにより、セルの追加および入れ替え回数に応じて、例えば、セルの追加および入れ替え回数が高い場合は移動機が高速で移動しているものとみなし、セル追加判定処理を行う際の閾値（第３の値）をより判定が成立しやすくなるように調整し、またセル入れ替え判定処理を行う際の閾値（第４の値）もより判定が成立しやすくなるよう調整する。これによって、高速に移動する移動機は、よりセル追加判定を成立しやすくする、もしくは、よりセル入れ替え判定を成立しやすくすることが可能となる。したがって、より適切に通信状態でのセルの追加、入れ替えを行うことが可能であり、高速に移動する移動機等であっても必要な通信品質を確保することができる。
【００１４】
また、本発明の一態様として、上記の移動無線通信方法であって、前記追加および入れ替え回数計測手順において、前記移動局における以前セルの追加または入れ替えを行ったセルの履歴を所定時間記録しておき、セル追加およびセル入れ替えにより追加されたセルが、前記セルの履歴に記載されている場合、前記セル追加およびセル入れ替え回数から除外して、所定の期間内の前記セル追加およびセル入れ替え回数を計測するものとする。
これにより、地理的に複数のセルの境界に移動機が位置する場合など、周辺セル間で頻繁に通信を行うセルの追加や入れ替えを行う場合に、移動機の無線品質が急激に変化していると誤判定され、移動機が高速で移動していると誤判定されてしまうことを防ぐことが可能となる。したがって、さらに適切に通信状態でのセルの追加、入れ替えを行うことが可能となり、必要な通信品質を確保することができる。
【００１５】
また、本発明の一態様として、上記の移動無線通信方法であって、前記移動局のセル追加およびセル入れ替え頻度に段階を設定し、それぞれのセル追加およびセル入れ替え頻度の段階ごとに独立に、より高頻度の段階に遷移するためのセル追加およびセル入れ替え回数の閾値と、より低頻度の段階に遷移するためのセル追加およびセル入れ替え回数の閾値とをそれぞれ設定する第２の閾値設定手順と、前記追加および入れ替え回数計測手順において得られた前記移動局におけるセル追加およびセル入れ替え回数から、前記移動局のセル追加およびセル入れ替え頻度の段階を判定する追加および入れ替え頻度判定手順とを有し、前記第２の調整手順において、前記追加および入れ替え回数計測手順において得られたセル追加およびセル入れ替え回数ではなく、前記追加および入れ替え頻度判定手順において得られたセル追加およびセル入れ替え頻度の段階に応じて、前記第３の値、前記第４の値のいずれか、もしくは両方を調整するものとする。
これにより、例えば、通信時のセル追加およびセル入れ替え回数が多くなった場合に、通信セル追加・入れ替え頻度によってセル追加判定処理を行う際の閾値をより判定が成立しやすくなるよう調整し、またセル入れ替え判定処理を行う際の閾値もより判定が成立しやすくなるよう調整することにより、さらにセル追加およびセル入れ替え回数が多くなる、といった誤動作を防ぐことが可能となる。したがって、さらに適切に通信状態でのセルの追加、入れ替えを行うことが可能となり、必要な通信品質を確保することができる。
【００１６】
本発明の移動無線通信方法は、移動機と無線基地局との間で通信を行う移動通信システムにおける移動無線通信方法であって、前記移動機が滞在中のセルの第５の無線基地局との無線品質が第５の値を下回り、前記滞在中のセルの周辺に位置する第６の無線基地局との無線品質が、前記第５の無線基地局との無線品質を、第６の値以上、所定の期間以上に渡って上回る場合に、前記第５および前記第６の無線基地局の交換局に対して、滞在するセルの切り替えを要求する移動通信システムにおいて、前記移動局における所定の期間内の前記セルの切り替え要求回数を計測する切り替え要求回数計測手順と、前記切り替え要求回数に応じて、前記第５の値、前記第６の値のいずれか、もしくは両方を調整する第３の調整手順とを有するものである。
これにより、セル切り替えの実行回数ではなく、セル切り替えの要求回数を計測して閾値を調整することで、交換局からの応答を待たずして計測を行うことが可能となり、移動機の処理を簡略化し、計測にかかる時間を短縮することが可能となる。そして、セルの切り替え要求回数に応じて、例えば、切り替え要求回数が高い場合は移動機が高速で移動しているものとみなし、セル切り替え判定処理を行うかどうかの閾値（第５の値）をより判定が成立しやすくなるように調整し、またセル切り替え判定処理を行う際の閾値（第６の値）もより判定が成立しやすくなるよう調整することで、高速に移動する移動機は、より早くセル切り替え判定処理を行う、もしくは、よりセル切り替え判定を成立しやすくすることが可能となる。
【００１７】
また、本発明の一態様として、上記の移動無線通信方法であって、前記切り替え要求回数計測手順において、前記移動局における以前セル切り替え要求を行ったセルの履歴を所定時間記録しておき、滞在先のセルが前記セルの履歴に記載されている場合、前記セル切り替え要求回数から除外して、所定の期間内の前記セル切り替え要求回数を計測するものとする。
これにより、地理的に複数のセルの境界に移動機が位置する場合など、周辺セル間で頻繁にセル切り替え要求を行う場合に、移動機の無線品質が急激に変化していると誤判定され、移動機が高速で移動していると誤判定されてしまうことを防ぐことが可能となる。
【００１８】
また、本発明の一態様として、上記の移動無線通信方法であって、前記移動局のセル切り替え要求頻度に段階を設定し、それぞれのセル切り替え要求頻度の段階ごとに独立に、より高頻度の段階に遷移するためのセル切り替え要求回数の閾値と、より低頻度の段階に遷移するためのセル切り替え要求回数の閾値とをそれぞれ設定する第３の閾値設定手順と、前記切り替え要求回数計測手順において得られた前記移動局におけるセル切り替え要求回数から、前記移動局のセル切り替え要求頻度の段階を判定する切り替え要求頻度判定手順とを有し、前記第３の調整手順において、前記切り替え要求回数計測手順において得られたセル切り替え要求回数ではなく、前記切り替え要求頻度判定手順において得られたセル切り替え要求頻度の段階に応じて、前記第５の値、前記第６の値のいずれか、もしくは両方を調整するものとする。
これにより、例えば、待ち受け時のセル切り替え要求回数が多くなった場合に、セル切り替え要求頻度によってセル切り替え判定処理を行うかどうかの閾値をより判定が成立しやすくなるように調整し、またセル切り替え判定処理を行う際の閾値もより判定が成立しやすくなるよう調整することにより、さらにセル切り替え要求回数が多くなる、といった誤動作を防ぐことが可能となる。
【００１９】
本発明の移動無線通信方法は、移動機と無線基地局との間で通信を行う移動通信システムにおける移動無線通信方法であって、前記移動機が通信を行う一つまたは複数の第７の無線基地局または基地局群の周辺に位置する第８の無線基地局との無線品質が、前記第７の無線基地局または基地局群との無線品質から計算される品質指標を第７の値だけ下回る値を、所定の期間以上に渡って上回る場合、前記第７の無線基地局または基地局群および前記第８の無線基地局の交換局に対して、通信を行うセルの追加を要求し、前記第８の無線基地局との無線品質が、前記第７の無線基地局または基地局群のいずれかの無線基地局との無線品質を第８の値だけ上回る値を、所定の期間以上に渡って上回る場合に、前記第７の無線基地局または基地局群および前記第８の無線基地局の交換局に対して、通信を行うセルの入れ替えを要求する移動通信システムにおいて、前記移動局における所定の期間内の前記セルの追加および入れ替え要求回数を計測する追加および入れ替え要求回数計測手順と、前記セルの追加および入れ替え要求回数に応じて、前記第７の値、前記第８の値のいずれか、もしくは両方を調整する第４の調整手順とを有するものである。
これにより、セルの追加および入れ替えの実行回数ではなく、セルの追加および入れ替えの要求回数を計測して閾値を調整することで、交換局からの応答を待たずして計測を行うことが可能となり、移動機の処理を簡略化し、計測にかかる時間を短縮することが可能となる。そして、セルの追加および入れ替え要求回数に応じて、例えば、セルの追加および入れ替え要求回数が高い場合は移動機が高速で移動しているものとみなし、セル追加判定処理を行う際の閾値（第７の値）をより判定が成立しやすくなるように調整し、またセル入れ替え判定処理を行う際の閾値（第８の値）もより判定が成立しやすくなるよう調整することで、高速に移動する移動機は、よりセル追加判定を成立しやすくする、もしくは、よりセル入れ替え判定を成立しやすくすることが可能となる。
【００２０】
また、本発明の一態様として、上記の移動無線通信方法であって、前記追加および入れ替え要求回数計測手順において、前記移動局における以前セルの追加または入れ替え要求を行ったセルの履歴を所定時間記録しておき、セル追加およびセル入れ替えにより追加を要求するセルが、前記セルの履歴に記載されている場合、前記セル追加およびセル入れ替え要求回数から除外して、所定の期間内の前記セル追加およびセル入れ替え要求回数を計測するものとする。
これにより、地理的に複数のセルの境界に移動機が位置する場合など、周辺セル間で頻繁に通信を行うセルの追加や入れ替えの要求を行う場合に、移動機の無線品質が急激に変化していると誤判定され、移動機が高速で移動していると誤判定されてしまうことを防ぐことが可能となる。
【００２１】
また、本発明の一態様として、上記の移動無線通信方法であって、前記移動局のセル追加およびセル入れ替え要求頻度に段階を設定し、それぞれのセル追加およびセル入れ替え要求頻度の段階ごとに独立に、より高頻度の段階に遷移するためのセル追加およびセル入れ替え要求回数の閾値と、より低頻度の段階に遷移するためのセル追加およびセル入れ替え要求回数の閾値とをそれぞれ設定する第４の閾値設定手順と、前記追加および入れ替え要求回数計測手順において得られた前記移動局におけるセル追加およびセル入れ替え要求回数から、前記移動局のセル追加およびセル入れ替え要求頻度の段階を判定する追加および入れ替え要求頻度判定手順とを有し、前記第４の調整手順において、前記追加および入れ替え要求回数計測手順において得られたセル追加およびセル入れ替え要求回数ではなく、前記追加および入れ替え要求頻度判定手順において得られたセル追加およびセル入れ替え要求頻度の段階に応じて、前記第７の値、前記第８の値のいずれか、もしくは両方を調整するものとする。
これにより、例えば、通信時のセル追加およびセル入れ替え要求回数が多くなった場合に、通信セル追加・入れ替え要求頻度によってセル追加判定処理を行う際の閾値をより判定が成立しやすくなるよう調整し、またセル入れ替え判定処理を行う際の閾値もより判定が成立しやすくなるよう調整することにより、さらにセル追加およびセル入れ替え回数が多くなる、といった誤動作を防ぐことが可能となる。
【００２２】
本発明の移動通信システムは、移動機と無線基地局との間で通信を行う移動通信システムであって、前記移動機が滞在中のセルの第１の無線基地局との無線品質が第１の値を下回り、前記滞在中のセルの周辺に位置する第２の無線基地局との無線品質が、前記第１の無線基地局との無線品質を、第２の値以上、所定の期間以上に渡って上回る場合に、前記第１および前記第２の無線基地局の交換局に対して、滞在するセルの切り替えを要求するものにおいて、前記移動局は、所定の期間内の前記セルの切り替え回数を計測する切り替え回数計測手段と、前記切り替え回数に応じて、前記第１の値、前記第２の値のいずれか、もしくは両方を調整する第１の調整手段とを備えるものである。
これにより、セルの切り替え回数に応じて、例えば、切り替え回数が高い場合は移動機が高速で移動しているものとみなし、セル切り替え判定処理を行うかどうかの閾値（第１の値）をより判定が成立しやすくなるように調整し、またセル切り替え判定処理を行う際の閾値（第２の値）もより判定が成立しやすくなるよう調整することで、高速に移動する移動機は、より早くセル切り替え判定処理を行う、もしくは、よりセル切り替え判定を成立しやすくすることが可能となる。
【００２３】
本発明の移動通信システムは、移動機と無線基地局との間で通信を行う移動通信システムであって、前記移動機が通信を行う一つまたは複数の第３の無線基地局または基地局群の周辺に位置する第４の無線基地局との無線品質が、前記第３の無線基地局または基地局群との無線品質から計算される品質指標を第３の値だけ下回る値を、所定の期間以上に渡って上回る場合に、前記第３の無線基地局または基地局群および前記第４の無線基地局の交換局に対して、通信を行うセルの追加を要求し、前記第４の無線基地局との無線品質が、前記第３の無線基地局または基地局群のいずれかの無線基地局との無線品質を第４の値だけ上回る値を、所定の期間以上に渡って上回る場合に、前記第３の無線基地局または基地局群および前記第４の無線基地局の交換局に対して、通信を行うセルの入れ替えを要求するものにおいて、前記移動局は、所定の期間内の前記セルの追加および入れ替え回数を計測する追加および入れ替え回数計測手段と、前記セルの追加および入れ替え回数に応じて、前記第３の値、前記第４の値のいずれか、もしくは両方を調整する第２の調整手段とを備えるものである。
これにより、セルの追加および入れ替え回数に応じて、例えば、セルの追加および入れ替え回数が高い場合は移動機が高速で移動しているものとみなし、セル追加判定処理を行う際の閾値（第３の値）をより判定が成立しやすくなるように調整し、またセル入れ替え判定処理を行う際の閾値（第４の値）もより判定が成立しやすくなるよう調整することで、高速に移動する移動機は、よりセル追加判定を成立しやすくする、もしくは、よりセル入れ替え判定を成立しやすくすることが可能となる。
【００２４】
本発明の移動通信システムは、移動機と無線基地局との間で通信を行う移動通信システムであって、前記移動機が滞在中のセルの第５の無線基地局との無線品質が第５の値を下回り、前記滞在中のセルの周辺に位置する第６の無線基地局との無線品質が、前記第５の無線基地局との無線品質を、第６の値以上、所定の期間以上に渡って上回る場合に、前記第５および前記第６の無線基地局の交換局に対して、滞在するセルの切り替えを要求するものにおいて、前記移動局は、所定の期間内の前記セルの切り替え要求回数を計測する切り替え要求回数計測手段と、前記切り替え要求回数に応じて、前記第５の値、前記第６の値のいずれか、もしくは両方を調整する第３の調整手段とを備えるものである。
これにより、セルの切り替え要求回数に応じて、例えば、切り替え要求回数が高い場合は移動機が高速で移動しているものとみなし、セル切り替え判定処理を行うかどうかの閾値（第５の値）をより判定が成立しやすくなるように調整し、またセル切り替え判定処理を行う際の閾値（第６の値）もより判定が成立しやすくなるよう調整することで、高速に移動する移動機は、より早くセル切り替え判定処理を行う、もしくは、よりセル切り替え判定を成立しやすくすることが可能となる。また、セル切り替えの実行回数ではなく、セル切り替えの要求回数を計測して閾値を調整することで、交換局からの応答を待たずして計測を行うことが可能となり、移動機の処理を簡略化し、計測にかかる時間を短縮することが可能となる。
【００２５】
本発明の移動通信システムは、移動機と無線基地局との間で通信を行う移動通信システムであって、前記移動機が通信を行う一つまたは複数の第７の無線基地局または基地局群の周辺に位置する第８の無線基地局との無線品質が、前記第７の無線基地局または基地局群との無線品質から計算される品質指標を第７の値だけ下回る値を、所定の期間以上に渡って上回る場合、前記第７の無線基地局または基地局群および前記第８の無線基地局の交換局に対して、通信を行うセルの追加を要求し、前記第８の無線基地局との無線品質が、前記第７の無線基地局または基地局群のいずれかの無線基地局との無線品質を第８の値だけ上回る値を、所定の期間以上に渡って上回る場合に、前記第７の無線基地局または基地局群および前記第８の無線基地局の交換局に対して、通信を行うセルの入れ替えを要求するものにおいて、前記移動局は、所定の期間内の前記セルの追加および入れ替え要求回数を計測する追加および入れ替え要求回数計測手段と、前記セルの追加および入れ替え要求回数に応じて、前記第７の値、前記第８の値のいずれか、もしくは両方を調整する第４の調整手段とを備えるものである。
これにより、セルの追加および入れ替え要求回数に応じて、例えば、セルの追加および入れ替え要求回数が高い場合は移動機が高速で移動しているものとみなし、セル追加判定処理を行う際の閾値（第７の値）をより判定が成立しやすくなるように調整し、またセル入れ替え判定処理を行う際の閾値（第８の値）もより判定が成立しやすくなるよう調整することで、高速に移動する移動機は、よりセル追加判定を成立しやすくする、もしくは、よりセル入れ替え判定を成立しやすくすることが可能となる。また、セルの追加および入れ替えの実行回数ではなく、セルの追加および入れ替えの要求回数を計測して閾値を調整することで、交換局からの応答を待たずして計測を行うことが可能となり、移動機の処理を簡略化し、計測にかかる時間を短縮することが可能となる。
【００２６】
本発明の移動機は、移動機と無線基地局との間で通信を行う移動通信システムにおける移動機であって、前記移動機が滞在中のセルの第１の無線基地局との無線品質が第１の値を下回り、前記滞在中のセルの周辺に位置する第２の無線基地局との無線品質が、前記第１の無線基地局との無線品質を、第２の値以上、所定の期間以上に渡って上回る場合に、前記第１および前記第２の無線基地局の交換局に対して、滞在するセルの切り替えを要求する移動通信システムに用いられ、所定の期間内の前記セルの切り替え回数を計測する切り替え回数計測手段と、前記切り替え回数に応じて、前記第１の値、前記第２の値のいずれか、もしくは両方を調整する第１の調整手段とを備えるものである。
これにより、セルの切り替え回数に応じて、例えば、切り替え回数が高い場合は移動機が高速で移動しているものとみなし、セル切り替え判定処理を行うかどうかの閾値（第１の値）をより判定が成立しやすくなるように調整し、またセル切り替え判定処理を行う際の閾値（第２の値）もより判定が成立しやすくなるよう調整することで、高速に移動する移動機は、より早くセル切り替え判定処理を行う、もしくは、よりセル切り替え判定を成立しやすくすることが可能となる。
【００２７】
本発明の移動機は、移動機と無線基地局との間で通信を行う移動通信システムにおける移動機であって、前記移動機が通信を行う一つまたは複数の第３の無線基地局または基地局群の周辺に位置する第４の無線基地局との無線品質が、前記第３の無線基地局または基地局群との無線品質から計算される品質指標を第３の値だけ下回る値を、所定の期間以上に渡って上回る場合に、前記第３の無線基地局または基地局群および前記第４の無線基地局の交換局に対して、通信を行うセルの追加を要求し、前記第４の無線基地局との無線品質が、前記第３の無線基地局または基地局群のいずれかの無線基地局との無線品質を第４の値だけ上回る値を、所定の期間以上に渡って上回る場合に、前記第３の無線基地局または基地局群および前記第４の無線基地局の交換局に対して、通信を行うセルの入れ替えを要求する移動通信システムに用いられ、所定の期間内の前記セルの追加および入れ替え回数を計測する追加および入れ替え回数計測手段と、前記セルの追加および入れ替え回数に応じて、前記第３の値、前記第４の値のいずれか、もしくは両方を調整する第２の調整手段とを備えるものである。
これにより、セルの追加および入れ替え回数に応じて、例えば、セルの追加および入れ替え回数が高い場合は移動機が高速で移動しているものとみなし、セル追加判定処理を行う際の閾値（第３の値）をより判定が成立しやすくなるように調整し、またセル入れ替え判定処理を行う際の閾値（第４の値）もより判定が成立しやすくなるよう調整することで、高速に移動する移動機は、よりセル追加判定を成立しやすくする、もしくは、よりセル入れ替え判定を成立しやすくすることが可能となる。
【００２８】
本発明の移動機は、移動機と無線基地局との間で通信を行う移動通信システムにおける移動機であって、前記移動機が滞在中のセルの第５の無線基地局との無線品質が第５の値を下回り、前記滞在中のセルの周辺に位置する第６の無線基地局との無線品質が、前記第５の無線基地局との無線品質を、第６の値以上、所定の期間以上に渡って上回る場合に、前記第５および前記第６の無線基地局の交換局に対して、滞在するセルの切り替えを要求する移動通信システムに用いられ、所定の期間内の前記セルの切り替え要求回数を計測する切り替え要求回数計測手段と、前記切り替え要求回数に応じて、前記第５の値、前記第６の値のいずれか、もしくは両方を調整する第３の調整手段とを備えるものである。
これにより、セルの切り替え要求回数に応じて、例えば、切り替え要求回数が高い場合は移動機が高速で移動しているものとみなし、セル切り替え判定処理を行うかどうかの閾値（第５の値）をより判定が成立しやすくなるように調整し、またセル切り替え判定処理を行う際の閾値（第６の値）もより判定が成立しやすくなるよう調整することで、高速に移動する移動機は、より早くセル切り替え判定処理を行う、もしくは、よりセル切り替え判定を成立しやすくすることが可能となる。また、セル切り替えの実行回数ではなく、セル切り替えの要求回数を計測して閾値を調整することで、交換局からの応答を待たずして計測を行うことが可能となり、移動機の処理を簡略化し、計測にかかる時間を短縮することが可能となる。
【００２９】
本発明の移動機は、移動機と無線基地局との間で通信を行う移動通信システムにおける移動機であって、前記移動機が通信を行う一つまたは複数の第７の無線基地局または基地局群の周辺に位置する第８の無線基地局との無線品質が、前記第７の無線基地局または基地局群との無線品質から計算される品質指標を第７の値だけ下回る値を、所定の期間以上に渡って上回る場合、前記第７の無線基地局または基地局群および前記第８の無線基地局の交換局に対して、通信を行うセルの追加を要求し、前記第８の無線基地局との無線品質が、前記第７の無線基地局または基地局群のいずれかの無線基地局との無線品質を第８の値だけ上回る値を、所定の期間以上に渡って上回る場合に、前記第７の無線基地局または基地局群および前記第８の無線基地局の交換局に対して、通信を行うセルの入れ替えを要求する移動通信システムに用いられ、所定の期間内の前記セルの追加および入れ替え要求回数を計測する追加および入れ替え要求回数計測手段と、前記セルの追加および入れ替え要求回数に応じて、前記第７の値、前記第８の値のいずれか、もしくは両方を調整する第４の調整手段とを備えるものである。
これにより、セルの追加および入れ替え要求回数に応じて、例えば、セルの追加および入れ替え要求回数が高い場合は移動機が高速で移動しているものとみなし、セル追加判定処理を行う際の閾値（第７の値）をより判定が成立しやすくなるように調整し、またセル入れ替え判定処理を行う際の閾値（第８の値）もより判定が成立しやすくなるよう調整することで、高速に移動する移動機は、よりセル追加判定を成立しやすくする、もしくは、よりセル入れ替え判定を成立しやすくすることが可能となる。また、セルの追加および入れ替えの実行回数ではなく、セルの追加および入れ替えの要求回数を計測して閾値を調整することで、交換局からの応答を待たずして計測を行うことが可能となり、移動機の処理を簡略化し、計測にかかる時間を短縮することが可能となる。
【発明の効果】
【００３０】
本発明によれば、移動通信システムにおいてより適切に通信や待ち受けを行うセルの切り替え、追加、入れ替え等を行うことが可能であり、高速に移動する移動機等であっても必要な通信品質を確保することができる移動無線通信方法および移動通信システム、並びに移動機を提供できる。
【発明を実施するための最良の形態】
【００３１】
本実施形態では、符号分割多元接続方式の移動通信システム、およびこの移動通信システムにおける移動機の例を示し、移動通信システムおける待ち受けセルの切り替え、および通信セルの追加、入れ替えの動作について説明する。
【００３２】
図１は本発明の実施形態に係る移動通信システムの概略構成を示す図である。移動通信システムは、携帯電話装置等による移動機１０と、無線基地局２１，２２，２３とを有して構成される。複数の無線基地局２１，２２，２３によって、各無線基地局の通信エリアに相当するセル３１，３２，３３がそれぞれ形成され、移動機１０が無線基地局２１，２２，２３と無線通信可能となっている。無線基地局２１，２２，２３は交換局４０に接続され、着信時または通信中の信号の制御、通信や待ち受けを行うセルの制御などが行われる。図の例では、移動機１０はセル３１内に存在しており、セル３１の境界付近では、移動機１０は無線基地局２１，２２，２３のそれぞれからの制御信号を同時に受信することができる。
【００３３】
なお、セルの配置、無線基地局の接続、交換局の接続等の構成は、図示例に限らず、種々の構成に適用可能である。また、無線基地局が複数の指向性アンテナを用いてセクタされている場合は、個々のセクタのことをセルと称するものとする。
【００３４】
（第１の実施形態）
図２は本発明の第１の実施形態に係る移動通信システムおよび移動機の構成を示す図である。移動機１０２は、無線通信を行うための送信部および受信部を有する無線通信手段１０３を備え、この無線通信手段１０３を通じて無線基地局１０１と通信を行う。なお以降では、「無線基地局」は、一つの無線基地局、または複数の無線基地局を含む無線基地局群のいずれかを表し、これらを総称するものとする。ここで、移動機１０２は、いずれかの無線基地局１０１に位置登録され、一つまたは複数の無線基地局１０１と通信可能となっている。
【００３５】
移動機１０２は、通信状態判別手段１０４、セル切り替え判定手段１０５、通信セル追加・入れ替え判定手段１０６、セル切り替え回数計測手段１０７、通信セル追加・入れ替え回数計測手段１０８、セル切り替え判定に関する調整パラメータテーブル１０９、通信セル追加・入れ替え判定に関する調整パラメータテーブル１１０を有する。通信状態判別手段１０４は、移動機１０２が通信状態か待ち受け状態かを判別する。セル切り替え回数計測手段１０７は、待ち受けセルの切り替えを行った回数を計測する。また、通信セル追加・入れ替え回数計測手段１０８は、通信セルの追加または入れ替えを行った回数を計測する。
【００３６】
調整パラメータテーブル１０９は、セル切り替え回数に対応する調整パラメータとして、セル切り替え判定処理実行閾値と、セル切り替え判定閾値とを有する。調整パラメータテーブル１１０は、通信セル追加・入れ替え回数に対応する調整パラメータとして、セル追加判定閾値と、セル入れ替え判定閾値とを有する。
【００３７】
セル切り替え判定手段１０５は、待ち受け時において、セル切り替え回数計測手段１０７から取得したセル切り替え回数と、調整パラメータテーブル１０９から取得した調整パラメータとに基づき、セル切り替え判定を行う。通信セル追加・入れ替え判定手段１０６は、通信時において、通信セル追加・入れ替え回数計測手段１０８から取得した通信セル追加・入れ替え回数と、調整パラメータテーブル１１０より取得した調整パラメータとに基づき、通信セル追加・入れ替え判定を行う。
【００３８】
次に、第１の実施形態における動作を説明する。まず、通信状態判別手段１０４によって、当該移動機１０２が通信状態であるか待ち受け状態であるかを判別する。
【００３９】
待ち受け状態の場合、セル切り替え判定手段１０５は、セル切り替え回数計測手段１０７からセル切り替え回数を取得し、調整パラメータテーブル１０９から調整パラメータを取得し、これらのセル切り替え回数と調整パラメータに基づいてセル切り替え判定を行う。
【００４０】
ここで、待ち受け時のセルの切り替え判定を行う条件として、移動機が滞在中のセルの第１の無線基地局との無線品質がセル切り替え判定処理実行閾値（第１の値）を下回り、滞在中のセルの周辺に位置する第２の無線基地局との無線品質が、第１の無線基地局との無線品質を、セル切り替え判定閾値（第２の値）以上、所定の期間以上に渡って上回る場合に、第１および第２の無線基地局の交換局に対して、滞在するセルの切り替えを要求するものとする。
【００４１】
セル切り替え判定手段１０５によってセル切り替え判定が成立した場合は、セル切り替え回数計測手段１０７はセル切り替え回数を１増分して更新し、セル切り替え判定手段１０５はセル切り替え要求を無線通信手段１０３、無線基地局１０１を通じて交換局１２０に要求する。このとき、セル切り替え回数の更新により、調整パラメータテーブル１０９より読み出す調整パラメータのうち、セル切り替え判定処理実行閾値とセル切り替え判定閾値の少なくとも一方が調整される。例えば、単位時間当たりのセル切り替え回数が多い場合は、移動機１０２が高速で移動しているとみなし、セル切り替え判定処理を行うかどうかを決定するためのセル切り替え判定処理実行閾値を大きくする方向に調整したり、セル切り替え判定処理を行う際のセル切り替え判定閾値を小さくする方向に調整したりなど、閾値をより判定が成立し易くなるように調整する。これにより、高速に移動する移動機１０２は、より早くセル切り替え判定処理を行う、もしくは、よりセル切り替え判定を成立し易くすることが可能となり、結果として待ち受け状態のセル切り替えが実行され易くなる。
【００４２】
通信状態の場合、通信セル追加・入れ替え判定手段１０６は、通信セル追加・入れ替え回数計測手段１０８から通信セル追加・入れ替え回数を取得し、調整パラメータテーブル１１０から調整パラメータを取得し、これらの通信セル追加・入れ替え回数と調整パラメータに基づいて通信セル追加・入れ替え判定を行う。
【００４３】
ここで、通信時のセルの追加または入れ替え判定を行う条件として、移動機が通信を行う一つまたは複数の第１の無線基地局または基地局群の周辺に位置する第２の無線基地局との無線品質が、第１の無線基地局または基地局群との無線品質から計算される品質指標をセル追加判定閾値（第３の値）だけ下回る値を、所定の期間以上に渡って上回る場合に、第１の無線基地局または基地局群および第２の無線基地局の交換局に対して、通信を行うセルの追加を要求し、第２の無線基地局との無線品質が、第１の無線基地局または基地局群のいずれかの無線基地局との無線品質をセル入れ替え判定閾値（第４の値）だけ上回る値を、所定の期間以上に渡って上回る場合に、第１の無線基地局または基地局群および第２の無線基地局の交換局に対して、通信を行うセルの入れ替えを要求するものとする。
【００４４】
通信セル追加・入れ替え判定手段１０６によって通信セル追加・入れ替え判定が成立した場合は、通信セル追加・入れ替え回数計測手段１０８は通信セル追加・入れ替え回数を１増分して更新し、通信セル追加・入れ替え判定手段１０６は通信セル追加・入れ替え要求を無線通信手段１０３、無線基地局１０１を通じて交換局１２０に要求する。このとき、通信セル追加・入れ替え回数の更新により、調整パラメータテーブル１１０より読み出す調整パラメータのうち、セル追加判定閾値とセル入れ替え判定閾値の少なくとも一方が調整される。例えば、単位時間当たりの通信セル追加・入れ替え回数が多い場合は、移動機１０２が高速で移動しているとみなし、セル追加判定処理を行う際のセル追加判定閾値を大きくする方向に調整したり、セル入れ替え判定処理を行う際のセル入れ替え判定閾値を小さくする方向に調整したりなど、閾値をより判定が成立し易くなるよう調整する。これにより、高速に移動する移動機１０２は、よりセル追加判定処理を成立し易くする、もしくは、よりセル入れ替え判定処理を成立し易くすることが可能となり、結果として通信時のセル追加、入れ替えが実行され易くなる。
【００４５】
このように第１の実施形態によれば、より適切に待ち受け状態でのセルの切り替え、通信状態でのセルの追加または入れ替え等を行うことが可能となる。したがって、高速に移動する移動機等であっても、適切にセルの切り替え、追加、入れ替え等を行って必要な通信品質を確保することができる。
【００４６】
（第２の実施形態）
図３は本発明の第２の実施形態に係る移動通信システムおよび移動機の構成を示す図である。移動機２０２は、無線通信手段１０３、通信状態判別手段１０４、セル切り替え判定手段２０５、通信セル追加・入れ替え判定手段２０６、セル切り替え回数計測手段２０７、通信セル追加・入れ替え回数計測手段２０８、セル切り替え判定に関する調整パラメータテーブル１０９、通信セル追加・入れ替え判定に関する調整パラメータテーブル１１０、滞在セル／通信セル履歴管理手段２１１を有する。なお、図２に示した第１の実施形態と同様の構成要素については同一符号を付して説明を省略する。
【００４７】
滞在セル／通信セル履歴管理手段２１１は、以前に滞在したセル、或いは以前にセルの追加または入れ替えを行ったセルの履歴を記録して管理する。この滞在セル／通信セル履歴管理手段２１１には、セルの識別情報、当該セルの退去またはセル削除後の経過時間、セルの滞在或いは追加または入れ替えの履歴を示すフラグなどが記録される。
【００４８】
セル切り替え回数計測手段２０７は、滞在セル／通信セル履歴管理手段２１１における滞在セルの履歴を参照して、待ち受けセルの切り替えを行った回数を計測する。通信セル追加・入れ替え回数計測手段２０８は、滞在セル／通信セル履歴管理手段２１１における追加・入れ替えセルの履歴を参照して、通信セルの追加または入れ替えを行った回数を計測する。
【００４９】
セル切り替え判定手段２０５は、待ち受け時において、セル切り替え回数計測手段２０７から取得したセル切り替え回数と、調整パラメータテーブル１０９から取得した調整パラメータとに基づき、セル切り替え判定を行う。通信セル追加・入れ替え判定手段２０６は、通信時において、通信セル追加・入れ替え回数計測手段２０８から取得した通信セル追加・入れ替え回数と、調整パラメータテーブル１１０より取得した調整パラメータとに基づき、通信セル追加・入れ替え判定を行う。
【００５０】
次に、第２の実施形態における動作を説明する。待ち受け状態において、セル切り替え判定手段２０５は、セル切り替え判定が成立した場合に、滞在セル／通信セル履歴管理手段２１１に通知する。また、通信状態において、通信セル追加・入れ替え判定手段２０６は、通信セル追加・入れ替え判定が成立した場合に、滞在セル／通信セル履歴管理手段２１１に通知する。
【００５１】
滞在セル／通信セル履歴管理手段２１１は、セル切り替え判定または通信セル追加・入れ替え判定を通知されると、セル切り替え先のセル、或いは追加されるセルまたは入れ替えにより追加されるセルが履歴にあるかどうかを検索し、記録されていない場合は新たにセルのレコードを登録してフラグをセットし、記録されている場合はそのセルのレコードのフラグをセットする。また、セル切り替え元のセル、或いは追加または入れ替えにより削除されるセルのレコードのフラグをリセットする。さらに、滞在セル／通信セル履歴管理手段２１１は、退去／セル削除後経過時間の列の値を経過時間に応じて増加させ、所定の値となると、そのレコードを履歴から削除する。これにより、所定時間のあいだ、以前に滞在したセル、或いは以前にセルの追加または入れ替えを行ったセルの履歴が記録される。
【００５２】
また、セル切り替え回数計測手段２０７は、セル切り替え判定が成立すると、滞在セル／通信セル履歴管理手段２１１より履歴を取得し、当該セルが履歴上に記載されている場合は、セル切り替え回数としてカウントしないようにする。履歴に記録が無い場合はセル切り替え回数を１増分して更新する。通信セル追加・入れ替え回数計測手段２０８は、通信セル追加・入れ替え判定が成立すると、滞在セル／通信セル履歴管理手段２１１より履歴を取得し、当該セルが履歴上に記載されている場合は、通信セル追加・入れ替え回数としてカウントしないようにする。履歴に記録が無い場合は通信セル追加・入れ替え回数を１増分して更新する。これにより、セル切り替え判定手段２０５において、所定期間内で以前に滞在したセルを除外したセル切り替え回数に基づき、セル切り替え判定が行われる。また、通信セル追加・入れ替え判定手段２０６において、所定期間内で以前にセルの追加または入れ替えを行ったセルを除外した通信セル追加・入れ替え回数に基づき、通信セル追加・入れ替え判定が行われる。
【００５３】
上記のように、第２の実施形態では、過去一定期間内にセル切り替え判定または通信セル追加・入れ替え判定が成立したセルに対して、再度セル切り替え判定または通信セル追加・入れ替え判定が成立した場合は、セル切り替え回数または通信セル追加・入れ替え回数として計測しないようにする。これは、近傍のセルへのセル切り替えまたは近傍のセルの追加・入れ替えを繰り返す移動機が、高速で移動中と誤判定されるのを防ぐためである。例えば、セルＡ→セルＢ→セルＡとセル切り替えが行われた場合、移動機がセルＡとセルＢのセル境界周辺を移動中であり、高速移動中であるとは考えにくいため、３つめのセルＡへの切り替えについてはセル切り替え回数としてカウントしないようにする。
【００５４】
このように第２の実施形態によれば、地理的に複数のセルの境界に移動機が位置する場合など、周辺セル間で頻繁にセル切り替えや通信を行うセルの追加・入れ替えを行う場合に、移動機の無線品質が急激に変化していると誤判定され、移動機が高速で移動していると誤判定されてしまうことを防ぐことが可能となる。これにより、さらに適切に待ち受け状態でのセルの切り替え、通信状態でのセルの追加または入れ替え等を行うことが可能となり、必要な通信品質を確保することができる。
【００５５】
（第３の実施形態）
図４は本発明の第３の実施形態に係る移動通信システムおよび移動機の構成を示す図である。移動機３０２は、無線通信手段１０３、通信状態判別手段１０４、セル切り替え判定手段３０５、通信セル追加・入れ替え判定手段３０６、セル切り替え回数計測手段２０７、通信セル追加・入れ替え回数計測手段２０８、セル切り替え判定に関する調整パラメータテーブル３０９、通信セル追加・入れ替え判定に関する調整パラメータテーブル３１０、滞在セル／通信セル履歴管理手段２１１、セル切り替え頻度判定手段３１２、通信セル追加・入れ替え頻度判定手段３１３、セル切り替え回数／頻度換算テーブル３１４、通信セル追加・入れ替え回数／頻度換算テーブル３１５を有する。なお、図２に示した第１の実施形態および図３に示した第２の実施形態と同様の構成要素については同一符号を付して説明を省略する。
【００５６】
セル切り替え頻度判定手段３１２は、セル切り替え回数／頻度換算テーブル３１４を参照し、セル切り替え回数計測手段２０７から取得したセル切り替え回数に対応する頻度段階を算出する。セル切り替え回数／頻度換算テーブル３１４は、セル切り替え回数に対応する頻度段階として、頻度段階、上位頻度遷移切り替え回数、下位頻度遷移切り替え回数を有する。通信セル追加・入れ替え頻度判定手段３１３は、通信セル追加・入れ替え回数／頻度換算テーブル３１５を参照し、通信セル追加・入れ替え回数計測手段２０８から取得した通信セル追加・入れ替え回数に対応する頻度段階を算出する。通信セル追加・入れ替え回数／頻度換算テーブル３１５は、通信セル追加・入れ替え回数に対応する頻度段階として、頻度段階、上位頻度遷移切り替え回数、下位頻度遷移切り替え回数を有する。
【００５７】
セル切り替え判定手段３０５は、待ち受け時において、セル切り替え回数計測手段２０７からセル切り替え回数を取得するのではなく、セル切り替え頻度判定手段３１２から取得したセル切り替え頻度と、調整パラメータテーブル３０９から取得した調整パラメータとに基づき、セル切り替え判定を行う。通信セル追加・入れ替え判定手段３０６は、通信時において、通信セル追加・入れ替え回数計測手段２０８から通信セル追加・入れ替え回数を取得するのではなく、通信セル追加・入れ替え頻度判定手段３１３から取得した通信セル追加・入れ替え頻度と、調整パラメータテーブル３１０より取得した調整パラメータとに基づき、通信セル追加・入れ替え判定を行う。
【００５８】
上記のように、第３の実施形態では、セル切り替え回数や通信セル追加・入れ替え回数ではなく、セル切り替え頻度または通信セル追加・入れ替え頻度に応じて、セル切り替え判定または通信セル追加・入れ替え判定を行う際の調整パラメータを決定する。このとき、ある期間あたりのセル切り替え回数または通信セル追加・入れ替え回数がある閾値を上回るとより高速状態に遷移し、ある閾値を下回るとより低速状態に遷移すると考える。また、より高速状態に遷移するための閾値と、より低速状態に遷移するための閾値を、各速度ごとに独立に設定する。
【００５９】
ここで、セル切り替え頻度を用いてセル切り替え判定を行う際に、判定用の閾値を調整すること自体が、セル切り替え頻度検出に影響を与えることがある。このため、閾値を調整することによってよりセル切り替え判定が成立しやすくなる場合、そのセル切り替え頻度段階から下位のセル切り替え頻度段階に遷移するためのセル切り替え回数を、一つ下のセル切り替え頻度段階における上位のセル切り替え頻度段階に遷移するためのセル切り替え回数より、多く設定しておく必要がある。そこで、図４のセル切り替え回数／頻度換算テーブル３１４に示すように、ある時間内のセル切り替え回数の遷移閾値を設定する。この場合、頻度段階２における下位頻度へ遷移するための回数（図の例では５）が、頻度段階１における上位頻度へ遷移するためのセル切り替え回数（図の例では３）より多くなっている。なお、通信セル追加・入れ替え判定についても、上記セル切り替え判定と同様である。
【００６０】
次に、第３の実施形態における動作を説明する。図５は第３の実施形態における待ち受け状態のセル切り替え処理のシーケンスを示すフローチャートである。このシーケンスは、上記第１および第２の実施形態の動作を含んでいる。
【００６１】
待ち受け時にセルの切り替えを行う際は（Ｓ１０１）、まず、一定期間内のセル切り替え回数を観測するために、セル切り替え頻度観測期間タイマをセットし（Ｓ１０２）、このタイマが所定の観測期間を超過したかを判定する（Ｓ１０３）。Ｓ１０３において前記タイマが観測期間を超過した場合は、セル切り替え回数をリセットし、再びタイマをセットする（Ｓ１０４）。
【００６２】
次に、滞在セルの無線品質を測定し（Ｓ１０５）、現在のセル切り替え頻度段階に応じたセル切り替え判定処理実行閾値を調整パラメータテーブル３０９より取得し（Ｓ１０６）、滞在セルの無線品質が閾値を下回るかを判定する（Ｓ１０７）。Ｓ１０７において滞在セルの無線品質が閾値を下回る場合、周辺セルの無線品質の測定を行う（Ｓ１０８）。また、現在のセル切り替え頻度段階に応じたセル切り替え判定閾値を調整パラメータテーブル３０９より取得し（Ｓ１０９）、セル切り替え判定が成立するかを判定する（Ｓ１１０）。Ｓ１１０においてセル切り替え判定が成立する場合は、セル切り替え要求処理を無線通信手段１０３に対して行う（Ｓ１１１）。
【００６３】
その後、切り替え先のセルが滞在セル／通信セル履歴管理手段２１１に登録されているかを判定し（Ｓ１１２）、Ｓ１１２において滞在セル／通信セル履歴に登録されていない場合、滞在セル／通信セル履歴管理手段２１１は、セル切り替え回数に１を加算し（Ｓ１１３）、滞在セル／通信セル履歴にそのセルのレコードを追加する（Ｓ１１４）。
【００６４】
次に、セル切り替え回数がセル切り替え回数／頻度換算テーブル３１４に記載の上位頻度遷移切り替え回数を越えるかどうかを判定し（Ｓ１１５）、Ｓ１１５においてセル切り替え回数が上位頻度遷移切り替え回数を越える場合、セル切り替え頻度の段階を上げ（Ｓ１１６）、セル切り替え回数をリセットし、セル切り替え頻度観測タイマをセットする（Ｓ１１９）。また、セル切り替え回数がセル切り替え回数／頻度換算テーブル３１４に記載の下位頻度遷移切り替え回数を下回るかどうかを判定し（Ｓ１１７）、Ｓ１１７においてセル切り替え回数が下位頻度遷移切り替え回数を下回る場合、セル切り替え頻度の段階を下げ（Ｓ１１８）、セル切り替え回数をリセットし、セル切り替え頻度観測タイマをセットする（Ｓ１１９）。
【００６５】
図６は第３の実施形態における通信状態の通信セル追加・入れ替え処理のシーケンスを示すフローチャートである。このシーケンスは、上記第１および第２の実施形態の動作を含んでいる。
【００６６】
通信時にセルの追加または入れ替えを行う際は（Ｓ２０１）、まず、一定期間内の通信セル追加・入れ替え回数を観測するために、通信セル追加・入れ替え頻度観測期間タイマをセットし（Ｓ２０２）、このタイマが所定の観測期間を超過したかを判定する（Ｓ２０３）。Ｓ２０３において前記タイマが観測期間を超過した場合は、通信セル追加・入れ替え回数をリセットし、再びタイマをセットする（Ｓ２０４）。
【００６７】
次に、通信中のセルと周辺セルの無線品質の測定を行う（Ｓ２０５）。また、現在の通信セル追加・切り替え頻度段階に応じたセル追加判定閾値Ａを調整パラメータテーブル３１０より取得し（Ｓ２０６）、周辺セルの無線品質を通信セルの品質指標と比較して（Ｓ２０７）、Ｓ２０７においてある周辺セルの無線品質が通信セルの品質指標を前記閾値Ａだけ下回る値を上回る場合、通信セル追加・入れ替え要求処理を無線通信手段１０３に対して行う（Ｓ２１０）。また、現在の通信セル追加・切り替え頻度段階に応じたセル切り替え判定閾値Ｂを調整パラメータテーブル３１０より取得し（Ｓ２０８）、周辺セルの無線品質を通信セルの無線品質と比較して（Ｓ２０９）、ある周辺セルの無線品質が通信セルの無線品質を前記閾値Ｂだけ上回る値を上回る場合、通信セル追加・入れ替え要求処理を無線通信手段１０３に対して行う（Ｓ２１０）。
【００６８】
その後、追加・入れ替えにより通信セルに追加されるセルが滞在セル／通信セル履歴管理手段２１１に登録されているかを判定し（Ｓ２１１）、Ｓ２１１において滞在セル／通信セル履歴に登録されていない場合、滞在セル／通信セル履歴管理手段２１１は、通信セル追加・入れ替え回数に１を加算し（Ｓ２１２）、滞在セル／通信セル履歴にそのセルのレコードを追加する（Ｓ２１３）。
【００６９】
次に、通信セル追加・入れ替え回数が通信セル追加・入れ替え回数／頻度換算テーブル３１５に記載の上位頻度遷移切り替え回数を越えるかどうかを判定し（Ｓ２１４）、Ｓ２１４において通信セル追加・入れ替え回数が上位頻度遷移切り替え回数を越える場合、通信セル追加・入れ替え頻度の段階を上げ（Ｓ２１５）、通信セル追加・入れ替え回数をリセットし、通信セル追加・入れ替え頻度観測タイマをセットする（Ｓ２１８）。また、通信セル追加・入れ替え回数が通信セル追加・入れ替え回数／頻度換算テーブル３１５に記載の下位頻度遷移切り替え回数を下回るかどうかを判定し（Ｓ２１６）、Ｓ２１６において通信セル追加・入れ替え回数が下位頻度遷移切り替え回数を下回る場合、通信セル追加・入れ替え頻度の段階を下げ（Ｓ２１７）、通信セル追加・入れ替え回数をリセットし、通信セル追加・入れ替え頻度観測タイマをセットする（Ｓ２１８）。
【００７０】
このように第３の実施形態によれば、待ち受け時のセル切り替え回数が多くなった場合に、セル切り替え頻度によってセル切り替え判定処理を行うかどうかの閾値をより判定が成立しやすくなるように調整し、またセル切り替え判定処理を行う際の閾値もより判定が成立しやすくなるよう調整することにより、さらにセル切り替え回数が多くなる、といった誤動作を防ぐことが可能となる。また、通信時のセル追加およびセル入れ替え回数が多くなった場合に、通信セル追加・入れ替え頻度によってセル追加判定処理を行う際の閾値をより判定が成立しやすくなるよう調整し、またセル入れ替え判定処理を行う際の閾値もより判定が成立しやすくなるよう調整することにより、さらにセル追加およびセル入れ替え回数が多くなる、といった誤動作を防ぐことが可能となる。これにより、さらに適切に待ち受け状態でのセルの切り替え、通信状態でのセルの追加または入れ替え等を行うことが可能となり、必要な通信品質を確保することができる。
【００７１】
また、上記第１〜第３の実施形態の変形例として、セル切り替え回数または通信セル追加・入れ替え回数の代わりに、セル切り替え要求回数または通信セル追加・入れ替え要求回数を計測するような構成としてもよい。このようにセル切り替え、追加、入れ替えの実行回数ではなく、要求回数を計測して閾値を調整することで、交換局からの応答を待たずして計測を行うことが可能となり、移動機の処理を簡略化し、計測にかかる時間を短縮することが可能となる。
【００７２】
以上説明したように本実施形態によれば、セル切り替えまたは通信セル追加・入れ替えを行う回数または頻度が多い移動機、すなわち、滞在するセルや通信を行うセルの無線品質が急激に変化する移動機は、より早くセル切り替えおよび通信セル追加・入れ替えを行うことができ、その結果、移動機が滞在セルの無線基地局からの着信制御を受けられない状態や通話やデータ通信が切断されてしまう状況を、より多く回避できるようになる。
【００７３】
また、地理的に複数のセルの境界に位置する移動機が、周辺セル間で頻繁にセル切り替えや通信を行うセルの追加・入れ替えを行う場合に、移動機の無線品質が急激に変化していると誤判定されてしまうことを防ぐことも可能である。
【００７４】
また、本実施形態においてセル切り替え判定または通信セル追加・入れ替え判定のための閾値を調整する際、この閾値の調整による、セル切り替え回数、通信セル追加・入れ替え回数の測定への影響を考慮することができるため、より適切にセル切り替えおよび通信セル追加・入れ替え判定を行うことができる。
【産業上の利用可能性】
【００７５】
本発明は、移動通信システムにおいて、より適切に待ち受け状態でのセルの切り替え、通信状態でのセルの追加または入れ替え等を行うことが可能であり、高速に移動する移動機等であっても必要な通信品質を確保することができるという効果を有し、セルラ移動通信システムにおいて行われるセル切り替え判定および通信を行うセルの判定に際しての移動無線通信方法および移動通信システム、並びに移動機等に有用である。
【図面の簡単な説明】
【００７６】
【図１】本発明の実施形態に係る移動通信システムの概略構成を示す図
【図２】本発明の第１の実施形態に係る移動通信システムおよび移動機の構成を示す図
【図３】本発明の第２の実施形態に係る移動通信システムおよび移動機の構成を示す図
【図４】本発明の第３の実施形態に係る移動通信システムおよび移動機の構成を示す図
【図５】第３の実施形態における待ち受け状態のセル切り替え処理のシーケンスを示すフローチャート
【図６】第３の実施形態における通信状態の通信セル追加・入れ替え処理のシーケンスを示すフローチャート
【符号の説明】
【００７７】
１０、１０２、２０２、３０２  移動機
２１、２２、２３、１０１  無線基地局（群）
３１、３２、３３  セル
４０、１２０  交換局
１０３  無線通信手段
１０４  通信状態判別手段
１０５、２０５、３０５  セル切り替え判定手段
１０６、２０６、３０６  通信セル追加・入れ替え判定手段
１０７、２０７  セル切り替え回数計測手段
１０８、２０８  通信セル追加・入れ替え回数計測手段
１０９、３０９  調整パラメータテーブル
１１０、３１０  調整パラメータテーブル
２１１  滞在セル／通信セル履歴管理手段
３１２  セル切り替え頻度判定手段
３１３  通信セル追加・入れ替え頻度判定手段
３１４  セル切り替え回数／頻度換算テーブル
３１５  通信セル追加・入れ替え回数／頻度換算テーブル
【図１】
2006013611.tif 000003
【図２】
2006013611.tif 000004
【図３】
2006013611.tif 000005
【図４】
2006013611.tif 000006
【図５】
2006013611.tif 000007
【図６】
2006013611.tif 000008